(57)【要約】  【課題】  駐車場制御ユニットと物品払出し機とを通信可能に接続し、駐車場を利用した特典として駐車場利用者に物品を即座に且つ容易に提供するサービスを実施し、駐車場の集客力つまり稼働率を高め、提供する物品を介して各種宣伝広告を行い、この宣伝広告を介して会社等と提携し経済効果を高めることができる駐車場システムを提供する。  【解決手段】  予め収容された所定の物品を払出す為の物品払出し機３０であって、駐車場制御ユニット１０に通信可能に接続された物品払出し機３０を設け、駐車場制御ユニット１０は、駐車料金が精算されたときに、物品払出し機３０に払出し許可信号を出力して、その物品払出し機３０で物品を払出し可能にする。【選択図】  図２
2006048495.tif 000002
【特許請求の範囲】
【請求項１】
駐車場に駐車した自動車の出庫時に駐車料金を精算する料金精算手段を有する駐車場制御ユニットを備えた駐車場システムにおいて、
予め収容された所定の物品を払出す為の物品払出し機であって、駐車場制御ユニットに通信可能に接続された物品払出し機を設け、
前記駐車場制御ユニットは、前記料金精算手段で駐車料金が精算されたときに、物品払出し機に払出し許可信号を出力して、その物品払出し機で物品を払出し可能にする物品払出し制御手段を有することを特徴とする駐車場システム。
【請求項２】
前記物品払出し機には、所定の複数種類の物品が収容され、
前記物品払出し機又は駐車場制御ユニットに、物品払出し機で払出す物品を選択する物品選択手段を設けたことを特徴とする請求項１に記載の駐車場システム。
【請求項３】
前記物品払出し機は、タバコ自動販売機用又は飲料水自動販売機用又は玩具自動販売機用又はカード・チケット自動販売機用に製造された払出し機であることを特徴とする請求項２に記載の駐車場システム。
【請求項４】
前記物品は、嗜好品、商品券、玩具、日用品、ポイント券、のうちの１又は複数種類の物品であることを特徴とする請求項２又は３に記載の駐車場システム。
【請求項５】
前記物品は、物品本体とその物品本体を収納する収納箱とを有し、その収納箱に広告表示用の広告表示部を設けたことを特徴とする請求項２〜４の何れかに記載の駐車場システム。
【請求項６】
前記物品払出し機には駐車時間に応じてランク付けされた複数群の物品が収容されたことを特徴とする請求項２〜５の何れかに記載の駐車場システム。
【請求項７】
前記駐車場の利用者に提供可能で駐車時間に応じた駐車ポイントを記録可能な記録媒体を設け、
前記駐車場制御ユニットは、駐車場に駐車した自動車の駐車時間に応じた駐車ポイントを記録媒体に記録可能なポイント記録手段を有することを特徴とする請求項６に記載の駐車場システム。
【請求項８】
前記駐車場制御ユニットは、前記記録媒体に記録された駐車ポイントを読取り可能なポイント読取り手段を有することを特徴とする請求項７に記載の駐車場システム。
【請求項９】
前記駐車場制御ユニットは、前記料金精算手段で駐車料金が精算されたときから所定時間経過後に、物品払出し機による物品の払出しを禁止にする物品払出し禁止手段を有することを特徴とする請求項１〜８の何れかに記載の駐車場システム。
【請求項１０】
前記駐車場制御ユニットは、自動車が駐車場から出庫後に、物品払出し機による物品の払出しを禁止にする物品払出し禁止手段を有することを特徴とする請求項１〜８の何れかに記載の駐車場システム。
【請求項１１】
前記駐車場の区画された各駐車スペースに設けられ且つ自動車を駐車スペースに入出庫可能な待機位置と駐車スペースから出庫不可能にロックするロック位置とに亙って切換え可能な自動車ロック手段を備え、
前記駐車場制御ユニットは、各駐車スペースの自動車の駐車状態および料金精算手段による料金精算の情報に基づいて、自動車ロック手段の位置を切換えるように制御するロック制御手段を有することを特徴とする請求項２に記載の駐車場システム。
【請求項１２】
前記駐車場の入口付近に駐車券を発行する駐車券発行装置を設け、駐車場の出口を開閉可能な出口開閉手段を設け、その出口付近に前記駐車場制御ユニットと物品払出し機を設置し、
前記駐車場制御ユニットの料金精算手段は、前記駐車券に記録された入庫時刻に基づいて駐車料金を精算すると共に、駐車場制御ユニットは、料金精算手段による料金精算の情報に基づいて、出口開閉手段を開閉制御する開閉制御手段を有することを特徴とする請求項２に記載の駐車場。
【発明の詳細な説明】
【技術分野】
【０００１】
本発明は、駐車場に駐車した自動車の出庫時に駐車料金を精算する料金精算手段を備えた駐車場システムに関するものである。
【背景技術】
【０００２】
従来、自動車の駐車スペースを貸す駐車場では、通常、設定時間（例えば、３０分間）あたりの単位駐車料金（例えば、２００円／３０分間）が予め定められており、その単位駐車料金と駐車場に駐車した自動車の駐車時間とに基づいて駐車料金を計算し、その駐車料金を駐車場利用者に提示して支払ってもらう。近年、この種の駐車場では、駐車場制御ユニットを設置することにより、自動車の入出庫の管理ならびに出庫時の駐車料金の精算を自動的に行う駐車場システムを導入したものが主流となっている。駐車料金の精算については、例えば、駐車場制御ユニットのディスプレイに駐車料金が表示され、その駐車場制御ユニットに設けた金銭投入口から金銭を投入して駐車料金が支払われる。
【０００３】
ところで、最近の駐車場システムは次の２つのタイプに大別される。１つは、駐車場の区画された各駐車スペースに、自動車の駐車状態を検出する駐車検出センサと、自動車を駐車スペースに入出庫可能な待機位置と駐車スペースから出庫不可能にロックするロック位置とに亙って切換え可能なロック板とを設け、駐車場制御ユニットが、各駐車スペースの自動車の駐車状態および料金精算の情報に基づいて、ロック板の位置を切換えるように制御するものである。この場合、駐車場制御ユニットにおいて、ボタン操作（例えば、駐車スペース番号を入力）を行うことにより料金精算が開始され、駐車検出センサからの信号に基づいて駐車時間が算出されて駐車料金が計算される。
【０００４】
もう１つは、駐車場の入口付近に駐車券を発行する駐車券発行装置を設け、駐車場の出口を開閉可能な開閉バーを設け、その出口付近に駐車場制御ユニットを設置し、駐車場制御ユニットが、料金精算の情報に基づいて開閉バーを開閉制御するものである。この場合、駐車場制御ユニットにおいて、駐車券投入口から駐車券を投入することにより料金精算が開始され、駐車券に記録された入庫時刻と現在時刻（出庫時刻）に基づいて駐車時間が算出されて駐車料金が計算される。所謂立体駐車場もこのタイプに含まれる。
【０００５】
ここで、従来の駐車場システムにおいて、駐車場と提携した店舗を利用した場合等、その駐車場の駐車料金を割引くようにしたシステムは広く実用に供されている。例えば、特許文献１の駐車場システムでは、入口路上機により入庫時刻を記憶媒体に記憶し、提携した店舗において、店舗端未機により購入商品の支払い金額に応じた割引時間を入庫時刻に加算した割引後入庫時刻を記憶媒体に書き込み、出口精算機により、出庫時刻から割引後入庫時刻を減算した駐車時間に応じて駐車料金を計算する。
【０００６】
ところで、特に都心部の駐車場では、駐車料金も高くなり、他の駐車場の数も非常に多い、等といった背景から、駐車場の集客力つまり稼働率を高める為のサービスや、会社等と提携して駐車場で宣伝を行うサービスを実施可能にした駐車場システムが公知である。例えば、特許文献２の駐車場システムでは、駐車料金の精算時に、登録ユーザー確認を行い、登録ユーザーに対しては、特典（ポイント）の提供を行う。センター側は、インターネット上のサーバーにホームページを開設し、サービスポイント情報等を掲載する。
【０００７】
特許文献３の駐車場システムでは、車両入庫時に駐車券を発行し、その駐車券をＣＭ発生装置に挿入すると、このＣＭ発生装置によりクライアント装置から受信したＣＭを試聴できる。発行券に試聴したＣＭのスタート・ストップ情報を記憶させ、駐車場出口の料金精算装置に発行券を挿入した場合、この料金精算装置によりスタート・ストップ情報に基づいて駐車料金の割引料金を算出し、その割引料金を通常駐車料金から割引いて駐車料金を計算する。割引いた駐車料金については、ＣＭを流した会社等から徴収できる。
【０００８】
また、特許文献４の駐車場システムでは、車両入庫時に駐車券を発行し、その駐車券を物品（飲料水）販売機に挿入することにより、その駐車券が正規の駐車券であるか否か判定し、正規の駐車券の場合、物品が通常価格よりも安くなる（例えば、飲料水が１２０円から１００円になる）。物品販売機の料金表示部には価格が変更表示される。
【特許文献１】特開２００４−１１０７２６号公報
【特許文献２】特開２００３−１０８８５１号公報
【特許文献３】特開２００３−３０６９５号公報
【特許文献４】特開２００２−９２７０９号公報
【発明の開示】
【発明が解決しようとする課題】
【０００９】
従来、自動車の入出庫の管理ならびに出庫時の駐車料金の精算を自動的に行う一般的な駐車場システムでは、基本的に、駐車料金を低く抑える等の料金サービス以外に、駐車場の集客力つまり稼働率を高める為のサービスを実施していないし、また、看板による宣伝を除いて、各種宣伝を行うようになっていないため、こうした宣伝を介して会社等と提携し経済効果を高めるのにも限界がある。特許文献２の駐車場システムでは、駐車場利用者にポイントを提供するが、先ず、そのユーザー登録が必要であるため面倒であり、また、そのポイントに応じたサービスを駐車場で即座に受けることができないため、駐車場利用者の興趣を高めにくく駐車場の集客力を高めることは難しい。
【００１０】
特許文献３の駐車場システムでは、確かに、各種宣伝を行うサービスを実施でき、会社等と提携し経済効果を高めることが可能である。しかし、各種宣伝をディスプレイからの映像やスピーカーからの音声によって行うため、宣伝試聴率を高めるのが大変である。つまり、駐車場制御ユニットに宣伝の為のディスプレイやスピーカーを設けた場合には、屋外で宣伝を試聴することになるため、宣伝試聴率を高めることができないであろうし、かといって、自動車の車内から試聴可能に各駐車スペースにディスプレイやスピーカーを設けると、設備コストが非常に高価になる。
【００１１】
特許文献４の駐車場システムでは、自動販売機が駐車場制御ユニットとは接続されずに独立に設けられ、その自動販売機に駐車券を挿入しなければ、自動販売機の物品を安く購入することができない。こうした駐車券の挿入操作は駐車料金精算時の駐車場制御ユニットへの挿入操作とは別に行う必要があるため面倒であり、その際に駐車券を紛失してしまう虞もある。しかも、偽造駐車券に対処も必要であり、偽造駐車券を用いて不法に自動販売機の物品を易く購入されて被害を被る虞もある。
【００１２】
本発明の目的は、駐車場システムにおいて、駐車場制御ユニットと物品払出し機とを通信可能に接続して、この駐車場を利用した特典として駐車場利用者に物品を即座に且つ容易に提供するサービスを実施すること、駐車場の集客力つまり稼働率を高めること、提供する物品を介して各種宣伝広告を行うこと、こうした宣伝広告を介して会社等と提携し経済効果を高めること、等である。
【課題を解決するための手段】
【００１３】
請求項１の駐車場システムは、駐車場に駐車した自動車の出庫時に駐車料金を精算する料金精算手段を有する駐車場制御ユニットを備えた駐車場システムにおいて、予め収容された所定の物品を払出す為の物品払出し機であって、駐車場制御ユニットに通信可能に接続された物品払出し機を設け、前記駐車場制御ユニットは、前記料金精算手段で駐車料金が精算されたときに、物品払出し機に払出し許可信号を出力して、その物品払出し機で物品を払出し可能にする物品払出し制御手段を有することを特徴とする。
【００１４】
この駐車場システムでは、駐車場制御ユニットにおいて、料金精算手段により、駐車場に駐車した自動車の出庫時に駐車料金が精算される。この場合、駐車料金については、例えば、駐車スペースに設けた駐車検出センサからの信号に基づいて、或いは、入庫時に発行された駐車券に記録された入庫時刻と現在時刻に基づいて、駐車時間が算出され駐車料金が計算され、その駐車料金が駐車場制御ユニットのディスプレイに表示され、基本的に、駐車場制御ユニットに設けた金銭投入口から金銭を投入して駐車料金が支払われる。
【００１５】
前記物品払出し機としては、既存の物品払出し機（例えば、タバコや飲料水等の嗜好品を販売する自動販売機、各種カード・チケット類を販売する自動販売機、玩具を販売する自動販売機、等）を利用してもよいし、この駐車場システム用に別途製造された払出し機を用いてもよい。この物品払出し機が駐車場又はその付近に設置され、駐車場制御ユニットに有線又は無線にて通信可能に接続される。このように、駐車場制御ユニットと物品払出し機とが通信可能に接続されるため、料金精算手段で駐車料金が精算されたときに、駐車場制御ユニットに設けた物品払出し制御手段により、物品払出し機に払出し許可信号が出力されて、その物品払出し機で物品を払出し可能にすることができる。つまり、料金精算手段で駐車料金が精算されたときに、この駐車場を利用した特典として駐車場利用者に物品を即座に且つ容易に提供するサービスを実施することができる。
【００１６】
但し、このサービスに関しては種々の形態を採ることができる。例えば、料金精算手段で駐車料金が精算されたときに、駐車場に駐車した自動車の駐車時間（駐車料金）が一定駐車時間（一定駐車料金）以上になる場合にのみ、物品払出し制御手段が物品払出し機に払出し許可信号を出力する。例えば、前記駐車時間として、この駐車場に過去に駐車した駐車時間を累積した時間を用いる。この場合、駐車場制御ユニットに、累積駐車時間を算出する手段、累積駐車時間を記録カード等の記録媒体に記録する手段、記録媒体に記録された累積駐車時間を読取る手段、その記録媒体を駐車場利用者に提供する手段を設ける。例えば、物品払出し機では駐車時間に応じた物品を払出し可能にする。等である。
【００１７】
請求項１の発明については、次の構成を採用可能である。
前記物品払出し機には、所定の複数種類の物品が収容され、前記物品払出し機又は駐車場制御ユニットに、物品払出し機で払出す物品を選択する物品選択手段を設ける（請求項２）。この物品選択手段は、駐車場利用者が希望の物品を選択可能に構成したものである。つまり、物品払出し機で払出す物品を自動的に選択する物品自動選択手段を設けてもよい。この場合、物品を抽選により選択するように構成してもよい。
【００１８】
前記物品払出し機は、タバコ自動販売機用又は飲料水自動販売機用又は玩具自動販売機用又はカード・チケット自動販売機用に製造された払出し機である（請求項３）。前記物品は、嗜好品、商品券、玩具、日用品、ポイント券、のうちの１又は複数種類の物品である（請求項４）。例えば、嗜好品としては、飲料水、菓子類、タバコ等であり、商品券としては、ガソリン無料券、ビール券等であり、玩具としては、自動車の模型等であり、日用品としては、石鹸、洗剤、ティッシュペーバ等である。ポイント券は、この駐車場を利用したポイントが記録された券である。
【００１９】
前記物品は、物品本体とその物品本体を収納する収納箱とを有し、その収納箱に広告表示用の広告表示部を設ける（請求項５）。前記物品払出し機に駐車時間に応じてランク付けされた複数群の物品を収容する（請求項６）。前記駐車場の利用者に提供可能で駐車時間に応じた駐車ポイントを記録可能な記録媒体を設け、前記駐車場制御ユニットは、駐車場に駐車した自動車の駐車時間に応じた駐車ポイントを記録媒体に記録可能なポイント記録手段を有する（請求項７）。
【００２０】
前記駐車場制御ユニットは、前記記録媒体に記録された駐車ポイントを読取り可能なポイント読取り手段を有する（請求項８）。前記駐車場制御ユニットは、前記料金精算手段で駐車料金が精算されたときから所定時間経過後に、物品払出し機による物品の払出しを禁止にする物品払出し禁止手段を有する（請求項９）。前記駐車場制御ユニットは、自動車が駐車場から出庫後に、物品払出し機による物品の払出しを禁止にする物品払出し禁止手段を有する（請求項１０）。
【００２１】
前記駐車場の区画された各駐車スペースに設けられ且つ自動車を駐車スペースに入出庫可能な待機位置と駐車スペースから出庫不可能にロックするロック位置とに亙って切換え可能な自動車ロック手段を備え、前記駐車場制御ユニットは、各駐車スペースの自動車の駐車状態および料金精算手段による料金精算の情報に基づいて、自動車ロック手段の位置を切換えるように制御するロック制御手段を有する（請求項１１）。
【００２２】
前記駐車場の入口付近に駐車券を発行する駐車券発行装置を設け、駐車場の出口を開閉可能な出口開閉手段を設け、その出口付近に前記駐車場制御ユニットと物品払出し機を設置し、前記駐車場制御ユニットの料金精算手段は、前記駐車券に記録された入庫時刻に基づいて駐車料金を精算すると共に、駐車場制御ユニットは、料金精算手段による料金精算の情報に基づいて、出口開閉手段を開閉制御する開閉制御手段を有する（請求項１２）。
【発明の効果】
【００２３】
請求項１の駐車場システムによれば、予め収容された所定の物品を払出す為の物品払出し機であって、駐車場制御ユニットに通信可能に接続された物品払出し機を設け、駐車場制御ユニットに、料金精算手段で駐車料金が精算されたときに、物品払出し機に払出し許可信号を出力して、その物品払出し機で物品を払出し可能にする物品払出し制御手段を設けたので、簡単な構成で、しかも、不法に物品払出し機により物品が払出される被害を極力防止して、この駐車場を利用した特典として駐車場利用者に物品を即座に且つ容易に提供するサービスを実施でき、その結果、この駐車場の利用者を増やして、駐車場の集客力つまり稼働率を高めることが可能になる。
【００２４】
請求項２の駐車場システムによれば、物品払出し機に、所定の複数種類の物品を収容し、物品払出し機又は駐車場制御ユニットに、物品払出し機で払出す物品を選択する物品選択手段を設けたので、駐車場利用者は、駐車料金の精算時に、複数種類の物品の中から希望の物品を選択し、その物品を物品払出し機で払出すことができる。
【００２５】
請求項３の駐車場システムによれば、物品払出し機が、タバコ自動販売機用又は飲料水自動販売機用又は玩具自動販売機用又はカード・チケット自動販売機用に製造された払出し機であるので、タバコ自動販売機又は飲料水自動販売機又は玩具自動販売機又はカード・チケット自動販売機を有効に活用できる。例えば、タバコ自動販売機は大量生産されて製作コストが安価であるため、駐車場システムの設備コストを低減することができる。
【００２６】
請求項４の駐車場システムによれば、物品が、嗜好品、商品券、玩具、日用品、ポイント券、のうちの１又は複数種類の物品であるため、駐車場利用者には希望する様々な物品を提供することができる。
【００２７】
請求項５の駐車場システムによれば、物品は、物品本体とその物品本体を収納する収納箱とを有し、その収納箱に広告表示用の広告表示部を設けたので、駐車場利用者に提供する物品を介して各種宣伝広告を行うことができ、その宣伝広告を介して物品のメーカーや販売店等と提携し、駐車場運営者は広告収入等を得られるため駐車場を運営していく上でも有利になり、経済効果を高めることが可能になる。
【００２８】
請求項６の駐車場システムによれば、物品払出し機に駐車時間に応じてランク付けされた複数群の物品を収容したので、この駐車場に駐車した自動車の駐車時間（駐車料金）に応じたランク、又はそのランク以下のランクの物品のみを物品払出し機で払出しできるように構成することができる。つまりは、車場利用者に、駐車時間が長くなる程高価な（価値のある）物品を提供することができ、駐車場の稼働率を高め得る可能性が高くなる。
【００２９】
請求項７の駐車場システムによれば、駐車場の利用者に提供可能で駐車時間に応じた駐車ポイントを記録可能な記録媒体を設け、駐車場制御ユニットは、駐車場に駐車した自動車の駐車時間に応じた駐車ポイントを記録媒体に記録可能なポイント記録手段を有するので、また、請求項８の駐車場システムによれば、駐車場制御ユニットは、前記記録媒体に記録された駐車ポイントを読取り可能なポイント読取り手段を有するので、駐車料金精算時に物品払出し機で払出す希望の物品がない場合等、今回の駐車時間に応じた駐車ポイントを記録媒体に記録して駐車場利用者に提供し、今後、基本的には、この駐車場を利用した際に、記録媒体に記録して溜めておいた駐車ポイントを使用して、駐車料金精算時に物品払出し機で希望する物品を払出すことができる。従って、この駐車場利用者の固定化を図り、駐車場の集客力つまり稼働率を一層高めることが可能になる。
【００３０】
請求項９の駐車場システムによれば、駐車場制御ユニットは、料金精算手段で駐車料金が精算されたときから所定時間経過後に、物品払出し機による物品の払出しを禁止にする物品払出し禁止手段を有するので、駐車場利用者が物品の払出しを行わないことを検知して、物品払出し機による物品の払出しを禁止し、権利のない他者が物品を得るという不具合を防止することができる。
【００３１】
請求項１０の駐車場システムによれば、駐車場制御ユニットは、自動車が駐車場から出庫後に、物品払出し機による物品の払出しを禁止にする物品払出し禁止手段を有するので、請求項９と同様の効果を奏する。
【００３２】
請求項１１の駐車場システムによれば、駐車場の区画された各駐車スペースに設けられ且つ自動車を駐車スペースに入出庫可能な待機位置と駐車スペースから出庫不可能にロックするロック位置とに亙って切換え可能な自動車ロック手段を備え、駐車場制御ユニットは、各駐車スペースの自動車の駐車状態および料金精算手段による料金精算の情報に基づいて、自動車ロック手段の位置を切換えるように制御するロック制御手段を有するので、こうしたタイプの駐車場に、本案特有の構成を適用することができる。
【００３３】
請求項１２の駐車場システムによれば、駐車場の入口付近に駐車券を発行する駐車券発行装置を設け、駐車場の出口を開閉可能な出口開閉手段を設け、その出口付近に駐車場制御ユニットと物品払出し機を設置し、駐車場制御ユニットの料金精算手段は、駐車券に記録された入庫時刻に基づいて駐車料金を精算すると共に、駐車場制御ユニットは、料金精算手段による料金精算の情報に基づいて、出口開閉手段を開閉制御する開閉制御手段を有するので、こうしたタイプの駐車場に、本案特有の構成を適用することができる。
【発明を実施するための最良の形態】
【００３４】
本発明の駐車場システムは、駐車場に駐車した自動車の出庫時に駐車料金を精算する料金精算手段を有する駐車場制御ユニットと、駐車場の区画された各駐車スペースに設けられ且つ自動車を駐車スペースに入出庫可能な待機位置と駐車スペースから出庫不可能にロックするロック位置とに亙って切換え可能な自動車ロック手段と、予め収容された所定の物品を払出す為の物品払出し機であって、駐車場制御ユニットに通信可能に接続された物品払出し機とを備え、駐車場制御ユニットは、各駐車スペースの自動車の駐車状態および料金精算手段による料金精算の情報に基づいて、自動車ロック手段の位置を切換えるように制御するロック制御手段と、料金精算手段で駐車料金が精算されたときに、物品払出し機に払出し許可信号を出力して、その物品払出し機で物品を払出し可能にする物品払出し制御手段とを有するものである。
【実施例１】
【００３５】
以下、本発明の実施例１について図面に基づいて説明する。
図１に示すように、駐車場１は複数の駐車スペース２に区画されており、少なくとも隣り合う駐車スペース２の間が仕切りバー３により仕切られている。各駐車スペース２には、１台の自動車Ｃが駐車可能であり、その長さ方向の一方向のみから自動車Ｃが入出庫でき、その入出庫側端部の地面にロック板６が設置されている。駐車スペース２に自動車Ｃを駐車していない状態では、その駐車スペース２のロック板６は、自動車Ｃを駐車スペースに入出庫可能な待機位置（図１の右端のロック板６の位置）となる。
【００３６】
駐車スペース２に自動車Ｃを駐車すると、その駐車スペース２のロック板６は、自動車Ｃの駐車時から所定時間後（例えば、３分後）に立ち上がり、自動車Ｃを駐車スペース２から出庫不可能にロックするロック位置（図１の右端以外のロック板６の位置）となる。ロック板６がロック位置となった駐車スペース２から自動車Ｃを出庫させる場合に、その駐車時間に応じた駐車料金の精算を駐車場制御ユニット１０で行い、駐車料金が精算されると、ロック板６がロック位置から待機位置に切換わり出庫可能となる。
【００３７】
さて、この駐車場１の駐車場システム５は、各駐車スペース２に対する自動車Ｃの入出庫の管理ならびに出庫時の駐車料金の精算を自動的に行うシステムであり、更に、この駐車場１を利用した特典として駐車場利用者に物品４０（粗品４０）を提供するサービスを実施することができるシステムである。
【００３８】
図１〜図３に示すように、駐車場システム５は、各駐車スペース２に設けられ且つ前記待機位置とロック位置とに亙って切換え可能な自動車ロック手段に相当するロック板６と、各ロック板６を前記待機位置とロック位置とに亙って駆動するロック板駆動装置７と、各駐車スペース２の駐車状態を検出する駐車検出センサ８と、駐車場２に駐車した自動車Ｃの出庫時に駐車料金を精算する料金精算機１５を有する駐車場制御ユニット１０と、予め収容された所定の物品４０を払出す為の物品払出し機３０であって、駐車場制御ユニット１０に通信線９を介して通信可能に接続された物品払出し機３０とを備えている。
【００３９】
駐車場制御ユニット１０について説明する。
図２、図３に示すように、駐車場制御ユニット１０は、制御装置１１、満空表示灯１２、ディスプレイ１３、操作スイッチ群１４、料金精算機１５、クレジットカード読取り機１６、領収書発行機１７、クーポン地図発行機１８、ポイントカード装置１９、通信装置２０を備え、通信装置２０により総合管理センター２１と通信可能に接続可能である。この駐車場制御ユニット１０において、そのユニットケース１０ａは円筒状に形成され、このユニットケース１０ａの操作性・視認性の良い上部に、前側から少し切欠いた形で正面視矩形の鉛直フラット部１０ｂが形成されている。
【００４０】
満空表示灯１２はユニットケース１０ａの上部に設けられ、この駐車場１の全駐車スペース２に自動車Ｃが駐車している場合に「満車」表示され、全駐車スペース２のうちの１つでも自動車Ｃが駐車していな場合に「空車」表示される。鉛直フラット部１０ｂには、十字状の取付け板１０ｃが固定され、その上側にディスプレイ１３が設けられている。このディスプレイ１３としては、液晶ディスプレイやプラズマディスプレイやＬＥＤディスプレイ等、各種ディスプレイを採用可能である。尚、鉛直フラット部１０ｂの下端から前側へ張出す段部はミニテーブル１０ｄとなっている。
【００４１】
取付け板１０ｃには、上段部に、テンキーを含む操作スイッチ群１４が設けられ、中段部に、料金精算機１５で駐車料金の精算を金銭で行う場合に紙幣を投入する紙幣投入口１５ａ及び硬貨を投入する硬貨投入口１５ｂと、駐車料金の精算をクレジットカードで行う場合にクレジットカード読取り機１６に対してクレジットカードを出し入れするカードスロットル１６ａと、ポイントカード装置１９に対してポイントカード２２を出し入れ可能なカードスロットル１９ａが設けられ、下段部に、領収書発行機１７で発行された駐車料金の領収書を取出す領収書取出し口１７ａが設けられ、取付け板１０ｃの右下側に、駐車料金の精算を金銭で行った場合の釣銭を取出す釣銭取出し口１５ｃが設けられている。
【００４２】
ここで、ポイントカード２２は駐車場利用者に提供可能な記録媒体であり、駐車場利用者が所持しているポイントカード２２には駐車ポイントが記録されている。そして、ポイントカード装置１９が、駐車場１に駐車した自動車Ｃの駐車時間に応じた駐車ポイントをポイントカード２２に記録可能なポイント記録手段と、ポイントカード２２に記録された駐車ポイントを読取り可能なポイント読取り手段に相当する。
【００４３】
図３に示すように、制御装置１０は、ロック板制御部１１ａ、料金精算処理部１１ｂ、物品払出し制御部１１ｃ、物品管理部１１ｄを備え、これらは、マイクロコンピュータとその記憶部に記憶されたソフトウェア（プログラム）により構成されるものである。ロック板制御部１１ａでは、各駐車スペース２の駐車検出センサ８から得られる自動車Ｃの駐車状態、および、料金精算処理部１１ｂから得られる料金精算の情報に基づいて、ロック板駆動装置７が制御されて、ロック板６の位置が前記のように切換えられる。
【００４４】
料金精算処理部１１ｂでは、例えば、駐車場利用者により操作スイッチ群１４が操作され、駐車スペース番号を指定して料金精算指示を行うことにより、その駐車スペース２の駐車時間が駐車検出センサ８からの信号に基づいて算出され、その駐車時間と予め設定された単位駐車料金（例えば、２００円／３０分間）とに基づいて駐車料金が計算され、その駐車料金をディスプレイ１３に提示（表示）させる。料金精算機１５からの料金精算情報を受けて、提示された駐車料金が支払われた場合に料金精算処理が完了となる。物品払出し制御部１１ｃ、物品管理部１１ｄについては後で説明する。
【００４５】
次に、物品払出し機３０について説明する。
物品払出し機３０は、前記のように、予め収容された所定の物品４０を払出す為の装置であり、駐車場制御ユニット１０に通信可能に接続され、駐車場制御ユニット１０と隣接状に設置されている。
【００４６】
図２、図３に示すように、物品払出し機３０は、タバコ自動販売機用に製造された払出し機であり、見本陳列部３１、物品収容部３２、複数の物品選択スイッチ３３、制御装置３４、ポイント表示部３５、払出し機構３６を備えている。この物品払出し機３０において、その払出し機ケース１０ａは直方体状に形成され、この払出し機ケース１０ａの上部に、見本陳列部３１が例えば上下３段に亙って設けられ、この見本陳列部３１に所定の複数種類の複数の物品４０の見本４０Ｓが整然と並べて陳列されている。
【００４７】
物品収容部３２に、前記複数の見本４０Ｓと同じ複数種類の複数の物品４０が分別された状態で、各物品４０について複数個ずつ収容されている。複数の物品選択スイッチ３３は、この物品払出し機３０で払出す物品４０を選択するものであり、複数の見本４０Ｓの下側に夫々配置されている。払出し機ケース１０ａに、見本陳列部３１の下側にポイント表示部３５が設けられ、下部に物品４０を払出す物品払出し口３６ａが設けられている。
【００４８】
制御装置３６には、その記憶部に駐車場制御ユニット１０と互換性のあるソフトウェア（プログラム）が記憶され、この制御装置３６が、駐車場制御ユニット１０からの指示を受けて、複数の物品選択スイッチ３３の一部又は全部を有効化すると共に、その駐車ポイントをポイント表示部３５に表示させ、そして、有効となった物品選択スイッチ３３が操作されると、その物品選択スイッチ３３に対応する物品４０が払出し機構３６で払出されるように、払出し機構３６を制御する。
【００４９】
ここで、物品４０について説明する。
この物品払出し機３０には、所定の複数種類の物品４０が収容されるが、この物品４０は、嗜好品（例えば、菓子類）、商品券（例えば、ガソリン無料券）、玩具（例えば、模型）、日用品（例えば、洗剤、石鹸）、ポイント券、のうちの１又は複数種類の物品４０である。図４、図５に示すように、物品４０は、物品本体４０ａと、その物品本体４０ａを収納する収納箱４０ｂとを有する。
【００５０】
図５では、物品本体４０ａを玩具である模型としているが、前記のように、その他の種々の玩具、種々の嗜好品、種々の商品券、種々の日用品、種々のポイント券としてもよい。収納箱４０ｂは、タバコ自動販売機で販売されているタバコと同形同サイズに形成され、物品本体４０ａはこの収納箱４０ｂに収納可能なサイズになる。それ故、この物品払出し機３０としてタバコ自動販売機を利用することが可能になる。尚、例えば、収納箱４０ｂにはそれを開閉する蓋４０ｃが形成され、物品本体４０ａを取出し易くしてある。尚、ポイント券は、例えば、所定枚数（所定ポイント）たまると、無料ガソリン券等、種々の物品と交換することができる。
【００５１】
収納箱４０ｂには広告表示用の広告表示部４０ｄが、例えば印刷して設けられている。図４、図５では、この広告表示の一例として、会社名、住所、電話番号、車名、収納箱４０ｂに収納された模型の写真やイラストが表示されている。この例では、収納箱４０ｂの広告表示内容と中身の物品本体４０ａとが関連している（例えば、広告表示された会社が製造又は販売している車の模型が収納されている）が、収納箱４０ｂの広告表示内容と中身の物品本体４０ａとを関連させなくもよい。こうして、会社等に広告の場を提供することができ、これにより、その会社等から広告料を徴収することができる。
【００５２】
また、物品払出し機３０には駐車時間（駐車時間に応じた駐車ポイントＰ）に応じてランク付けされた複数群の物品４０が収容されている。物品払出し機３０に収容された各物品４０は、例えば、Ａ（駐車時間１００時間；１００Ｐ以上）、Ｂ（駐車時間２５時間〜９９時間；２５〜９９Ｐ）、Ｃ（駐車時間５時間〜２４時間；５Ｐ〜２４Ｐ）、の３ランクのうちの何れかにランク付けされ、図２に示す見本陳列部３１の上段にはＡランクの物品４０の見本４０Ｓが、中段にはＢランクの物品４０の見本４０Ｓが、下段にはＣランクの物品４０の見本４０Ｓが夫々陳列されている。
【００５３】
ここで，駐車場制御ユニット１０において、制御装置１１の物品払出し制御部１１ｃでは、料金精算機１５で駐車料金が精算されたときに、その料金精算情報を料金精算処理部１１ｂから受けて、物品払出し機３０に払出し許可信号を出力して、物品払出し機３０で物品４０を払出し可能にする。この場合、物品払出し機３０に出力される払出し許可信号には、払出し可能にする一部又は全部の物品４０、つまり、有効化する一部又は全部の物品選択スイッチ３３に関連する情報が付随され又は含まれる。
【００５４】
駐車場制御ユニット１０の制御装置１１の物品払出し制御部１１ｃが実行する処理について、図６、図７のフローチャートに基づいて説明し、その処理を受けて、物品払出し機３０の制御装置３４が実行する処理について図８のフローチャートに基づいて説明する。
【００５５】
図６に示すように、駐車場制御ユニット１０の物品払出し制御部１１ｃによる処理は、電源投入と共に開始され、初期設定の後、料金精算機１５により駐車料金の精算が行われると（Ｓ１；Yes ）、減算タイマＴにＴ１（例えば、Ｔ１＝３分）がセットされて（Ｓ２）、減算計時が開始され、次に、駐車時間（又は駐車料金）が読込まれる（Ｓ３）。この駐車時間は料金精算処理部１１ｂで算出され、その情報が活用される。次に、その駐車時間に応じて駐車ポイントが算出される（Ｓ４）。例えば、駐車ポイントは、１分間駐車する毎に１ポイント加算されるように算出される。
【００５６】
次に、図９に例示するように、ディスプレイ１３に、Ｓ４で算出された駐車ポイント、ポイントカード２２の挿入可能指示、ポイントカード２２の更新・発行可能指示が表示される（Ｓ５）。次に、ポイントカード２２がカードスロットル１９ａから挿入されない場合（Ｓ６；No）、Ｓ１０へ移行し、ポイントカード２２が挿入された場合には（Ｓ６；Yes ）、ポイントカード装置１９によりポイントカード２２から読取られた駐車ポイントが読込まれ（Ｓ７）、その駐車ポイントがディスプレイ１３に表示の駐車ポイントに加算されて、駐車ポイントが更新され（Ｓ８）、その駐車ポイントがディスプレイ１３に表示される（Ｓ９）。
【００５７】
次に、ポイントカード更新・発行スイッチがオンされたか否か判定され（Ｓ１０）、オンの場合（Ｓ１０；Yes ）、ポイントカード２２が更新・発行され（Ｓ１１）、終了する。ここで、Ｓ１１において、ポイントカード２２が挿入されている場合には、そのポイントカード２２に現在ディスプレイ１３に表示の駐車ポイントが記録更新されて外部へ排出され、また、ポイントカード２２が挿入されていない場合には、新たなポイントカード２２に現在ディスプレイ１３に表示の駐車ポイントが記録されて、ポイントカード２２が発行され外部へ排出される。
【００５８】
一方、ポイントカード更新・発行スイッチがオンされない場合（Ｓ１０；No）、次に、算出（更新）された駐車ポイントが、物品払出し可能な駐車ポイントであるか否か判定される（Ｓ１１）。ここで、前記のように、物品払出し機３０には駐車時間に応じてランク付けされた複数群の物品４０が収容されている。例えば、その複数群はＡ〜Ｃの何れかのランクに分類されており、Ｓ１２では、そのうちの最も低いランクＣの物品４０が払出し可能であるか、つまり、算出・更新された駐車ポイントがランクＣに応じたポイントの最低ポイント；５Ｐ以上か否か判定され、５Ｐ未満で物品払出し可能な駐車ポイントでない場合（Ｓ１２；No）、Ｓ１１へ移行する。
【００５９】
５Ｐ以上で物品払出し可能な駐車ポイントである場合には（Ｓ１２；Yes ）、その駐車ポイントに応じた払出し許可信号が物品払出し機３０に出力される（Ｓ１３）。すると、物品払出し機３０では、その払出し許可信号を受けて払出し可能な物品４０に対応する物品選択スイッチ３３が有効化（点灯）されるが、次に、図１０に示すように、ディスプレイ１３に、駐車ポイント、ポイントカード２２の挿入可能指示、ポイントカード２２の更新・発行可能指示に加えて、物品払出し可能指示が表示される（Ｓ１４）。
【００６０】
次に、図７に示すように、料金精算時にタイマＴが０か否か判定され（Ｓ１５）、Ｓ１５；Noの場合、駐車検出センサ８からの信号に基づいて、駐車スペース２から自動車Ｃが出庫したか否か判定され（Ｓ１６）、Ｓ１６；Noの場合、物品払出し機３０からの信号を受けて物品払出し有りか否か判定される（Ｓ１７）。物品払出し有りの場合（Ｓ１７；Yes ）、Ｓ８へリターンし、その払出した物品４０の駐車ポイントが現在の駐車ポイントから減算されて、駐車ポイントが更新される。
【００６１】
物品払出し無しの場合（Ｓ１７；No）、ポイントカード更新・発行スイッチがオンされたか否か判定され（Ｓ１８）、Ｓ１８；Noの場合、次に、ポイントカード２２がカードスロットル１９ａから挿入されない場合（Ｓ１９；No）、Ｓ１５へリターンし、ポイントカード２２がカードスロットル１９ａから挿入された場合には（Ｓ１９；No）、Ｓ７へ移行する。一方、Ｓ１８；Yes の場合、Ｓ１１と同様にポイントカード２２が更新・発行され（Ｓ２０）、次に、物品払出し禁止信号が物品払出し機３０に出力され（Ｓ２１）、物品払出し機３０による物品４０の払出しが禁止される。
【００６２】
また、Ｓ１５において、タイマＴが０と判定された場合、或いは、Ｓ１６において、駐車スペース２から自動車Ｃが出庫したと判定された場合には、Ｓ２１へ移行する。つまり、駐車料金が精算されたときから所定時間Ｔ１経過後に、物品払出し機３０による物品４０の払出しを禁止にする物品払出し禁止手段、自動車Ｃが駐車場から出庫後に、物品払出し機３０による物品４０の払出しを禁止にする物品払出し禁止手段がＳ２１に相当する。
【００６３】
図８に示すように、物品払出し機３０の制御装置３４による処理は、電源投入と共に開始され、払出し許可信号が駐車場制御ユニット１０から入力された場合（Ｓ３０；Yes ）、その払出し許可信号の駐車ポイントに応じた物品選択スイッチ３３が有効化（点灯）される（Ｓ３１）。有効化した物品選択スイッチ３３がオンされない場合（Ｓ３２；No）、次に、物品払出し禁止信号が駐車場制御ユニット１０から入力されない場合には（Ｓ３３；No）、Ｓ３２へ移行し、物品払出し禁止信号が駐車場制御ユニット１０から入力された場合（Ｓ３３；Yes ）、有効化した物品選択スイッチ３３が無効化され、終了する。
【００６４】
一方、有効化した物品選択スイッチ３３がオンされた場合（Ｓ３２；Yes ）、その物品選択スイッチ３３に対応する物品４０が払出され（Ｓ３４）、払出した物品４０の駐車ポイントに応じた払出し完了信号が駐車場制御ユニット１０に出力され（Ｓ３５）、有効化した物品選択スイッチ３３が無効化され、終了する。
【００６５】
尚、駐車場制御ユニット１０の制御装置１１において、物品管理部１１ｄは、物品払出し機３０に収容された物品４０の在庫量、物品払出し機３０で払出された物品４０等を管理する。例えば、払出された物品４０について、払出しが行われた日付や時間を付随して記録し、日付（時期）や時間に応じて人気のある物品４０を割出し払出し機３０に積極的に収容して駐車場利用者の希望に応えるようにすることができる。こうした情報については、通信装置２０により総合管理センターに転送し総合管理することができる。尚、通信装置２０では、駐車場システム５の故障等の情報（駐車場利用者からの連絡）についても総合管理センター２１と通信可能にする。
【００６６】
以上説明した駐車場システム５によれば、次の作用・効果を奏する。
予め収容された所定の物品４０を払出す為の物品払出し機３０であって、駐車場制御ユニット１０に通信可能に接続された物品払出し機３０を設け、駐車場制御ユニット１０に、料金精算機１５で駐車料金が精算されたときに、物品払出し機３０に払出し許可信号を出力して、その物品払出し機３０で物品４０を払出し可能にする物品払出し制御部１１ｃを設けたので、簡単な構成で、しかも、不法に物品払出し機３０により物品４０が払出される被害を極力防止して、この駐車場１を利用した特典として駐車場利用者に物品４０を即座に且つ容易に提供するサービスを実施でき、その結果、この駐車場１の利用者を増やして、駐車場１の集客力つまり稼働率を高めることが可能になる。
【００６７】
物品払出し機３０に、所定の複数種類の物品４０を収容し、物品払出し機３０に、物品払出し機３０で払出す物品４０を選択する物品選択スイッチ３３を設けたので、駐車場利用者は、駐車料金の精算時に、複数種類の物品４０の中から希望の物品４０を選択し、その物品４０を物品払出し機３０で払出すことができる。物品払出し機３０が、タバコ自動販売機用に製造された払出し機であるので、タバコ自動販売機を有効に活用でき、また、タバコ自動販売機は大量生産されて製作コストが安価であるため、駐車場システム５の設備コストを低減することができる。
【００６８】
物品４０が、嗜好品、商品券、玩具、日用品、ポイント券、のうちの１又は複数種類の物品であるため、駐車場利用者には希望する様々な物品４０を提供することができる。物品４０は、物品本体４０ａとその物品本体４０ａを収納する収納箱４０ｂとを有し、その収納箱４０ｂに広告表示用の広告表示部４０ｄを設けたので、提供する物品４０を介して各種宣伝広告を行うことができ、その宣伝広告を介して物品４０のメーカーや販売店等と提携し、駐車場運営者は広告収入等を得られるため駐車場１を運営していく上でも有利になり、経済効果を高めることが可能になる。ここで、クーポン地図発行機１８では、この駐車場１の付近の地図や、その付近の店舗（例えば、飲食店）において有効なクーポン（例えば、無料飲料券等）を発行できるため、駐車場利用者にとって利便性が高まる。
【００６９】
物品払出し機３０に駐車時間に応じてランク付けされた複数群の物品４０を収容したので、この駐車場１に駐車した自動車Ｃの駐車時間（駐車料金）に応じたランク、又はそのランク以下のランクの物品４０のみを物品払出し機３０で払出しできるように構成することができる。つまりは、駐車場利用者に、駐車時間が長くなる程高価な（価値のある）物品４０を提供することができ、駐車場１の稼働率を高め得る可能性が高くなる。
【００７０】
駐車場１の利用者に提供可能で駐車時間に応じた駐車ポイントを記録可能なポイントカード２２を設け、駐車場制御ユニット１０は、駐車場１に駐車した自動車Ｃの駐車時間に応じた駐車ポイントをポイントカード２２に記録可能で、ポイントカード２２に記録された駐車ポイントを読取り可能なポイントカード装置１９を有するので、駐車料金精算時に物品払出し機３０で払出す希望の物品４０がない場合等、今回の駐車時間に応じた駐車ポイントをポイントカード２２に記録して駐車場利用者に提供し、今後、駐車場１を利用した際に、ポイントカード２２に記録して溜めておいた駐車ポイントを使用して、駐車料金精算時に物品払出し機３０で希望の物品４０を払出すことができる。従って、この駐車場利用者の固定化を図り、駐車場の集客力つまり稼働率を一層高めることが可能になる。
【００７１】
駐車場制御ユニット１０は、料金精算機１５で駐車料金が精算されたときから所定時間Ｔ１経過後に、物品払出し機３０による物品４０の払出しを禁止にし、また、自動車Ｃが駐車場１から出庫後に、物品払出し機３０による物品４０の払出しを禁止にするので、駐車場利用者が物品４０の払出しを行わないことを検知して、物品払出し機３０による物品４０の払出しを禁止し、権利のない他者が物品４０を得るという不具合を防止できる。
【実施例２】
【００７２】
この駐車場システム５（駐車場制御ユニット１０）は、実施例１の駐車場システム５（駐車場制御ユニット１０）に比べて非常にシンプルに構成されたものである。例えば、図３に示す駐車場制御ユニット１０の、物品管理部１１ｄ、クーポン地図発行機１８、ポイントカード装置１９等は省略されているし、物品４０についてもランク付けされていない。但し、この駐車場制御ユニット５には無く実施例１の駐車場制御ユニット５に有る構成・機能の一部を、この駐車場制御ユニット５に追加してもよい。尚、実施例１と基本的に同じものについては同一符号を付して説明する。
【００７３】
駐車場制御ユニット１０の制御装置１１の物品払出し制御部１１ｃが実行する処理について、図１１のフローチャートに基づいて説明する。
図１１に示すように、駐車場制御ユニット１０の物品払出し制御部１１ｃによる処理は、電源投入と共に開始され、初期設定の後、料金精算機１５により駐車料金の精算が行われると（Ｓ４０；Yes ）、駐車時間又は駐車料金が読込まれる（Ｓ４１）。次に、その駐車時間又は駐車料金が一定時間（例えば、３時間）又は一定料金（例えば、１２００円）以上であるか否か判定され（Ｓ４２）、一定時間又は一定料金未満の場合には（Ｓ４２；No）、物品４０の払出しが行われることなく終了する。
【００７４】
一方、駐車時間又は駐車料金が一定時間又は一定料金以上の場合には（Ｓ４２；Yes ）、払出し許可信号が物品払出し機３０に出力される（Ｓ４３）。すると、物品払出し機３０では、その払出し許可信号を受けて物品選択スイッチ３３が有効化（点灯）される。次に、駐車検出センサ８からの信号に基づいて、駐車スペース２から自動車Ｃが出庫したか否か判定され（Ｓ４４）、Ｓ４４；Noの場合、物品払出し機３０からの信号を受けて物品払出し有りか否か判定され（Ｓ４６）。Ｓ４６；Noの場合、Ｓ４４へリターンし、Ｓ４６；Yes の場合、終了する。また、駐車スペース２から自動車Ｃが出庫したと判定された場合（Ｓ４４；Yes ）、物品払出し禁止信号が物品払出し機３０に出力され（Ｓ４５）、物品払出し機３０による物品４０の払出しが禁止され、終了する。
【実施例３】
【００７５】
実施例３の駐車場システム５Ａでは、図１２に示すように、複数の駐車スペースを有する駐車場１Ａの入口１ａを開閉する入口開閉バー５０が設けられ、その入口１ａ付近に駐車券を発行する駐車券発行装置５１が設けられ、駐車場１Ａの出口１ｂを開閉可能な出口開閉バー５２（出口開閉手段）が設けられ、その出口１ａ付近に駐車場制御ユニット１０Ａと物品払出し機３０Ａが設置されている。駐車場制御ユニット１０Ａと物品払出し機３０Ａは、前記実施例の駐車場制御ユニット１０と物品払出し機３０と基本的に同じ構成である。
【００７６】
但し、駐車場制御ユニット１０Ａの料金精算機は、駐車券発行装置５１で発行された駐車券に記録された入庫時刻に基づいて駐車料金を精算すると共に、駐車場制御ユニット１０は、料金精算機による料金精算の情報に基づいて、出口開閉バー５２を開閉制御する開閉制御部と、料金精算機で駐車料金が精算されたときに、物品払出し機３０Ａに払出し許可信号を出力して、その物品払出し機３０Ａで物品４０を払出し可能にする物品払出し制御部とを有する。この駐車場システム５Ａによれば、基本的に実施例１、２と同様の作用、効果を奏する。
【００７７】
次に、前記実施例の変形例について説明する。
１］駐車場制御ユニット、物品払出し機を複数台設置してもよい。
２］物品払出し機として、タバコ自動販売機用に製造された払出し機以外の払出し機を使用してもよい。例えば、飲料水自動販売機用に製造された払出し機、玩具自動販売機用に製造された払出し機、各種カード・チケット自動販売機用に製造された払出し機を使用してもよいし、この駐車場システム用に別途製造された払出し機を使用してもよい。
３］物品払出し機に１種類の物品のみを収容し、この１種類のみの物品を駐車場利用者に提供してもよい。この場合、物品払出し機を小型化でき製造コストも安価になる。
【００７８】
４］物品については、特に、物品本体と収納箱からなるもの以外に、物品本体としての物品を物品払出し機に収容して払出し可能にしてもよい。
５］駐車場制御ユニットに、物品払出し機で払出す物品を選択する物品選択スイッチを設けてもよい。この場合、物品払出し機に設けた物品選択スイッチは省略可能である。
６］駐車場制御ユニットと物品払出し機とを一体型に構成してもよい。
７］駐車場制御ユニット又は物品払出し機に、複数の物品の中から払出す物品を抽選により決定する抽選機能を備えてもよい。
【００７９】
８］広告表示用の広告表示部については、駐車場制御ユニット又は物品払出し機のケース表面に設けてもよい。
９］物品払出し機には収容された複数群の物品について、駐車時間帯に応じて各物品のランクを変更するようにしてもよい。例えば、駐車スペースに空きが多くできる時間帯などに、高価な物品のランクを下げることにより、通常よりも短い駐車時間（通常よりも低い駐車ポイント）で程度の高い高価な物品を手に入れることが可能となり、駐車場の集客性つまり稼働率を高め得ることが可能になる。
【００８０】
１０］駐車場制御ユニットと物品払出し機を無線により通信可能に接続してもよい。
１１］駐車ポイントを記録する記録媒体として、ポイントカード以外に、駐車場利用車が携帯している携帯電話等の携帯端末を利用してもよい。
１２］その他、所謂立体駐車場等、駐車場に駐車した自動車の出庫時に駐車料金を精算する料金精算手段を有する駐車場制御ユニットを備えた種々の駐車場システムに、本発明の駐車場システムを適用可能である。
【図面の簡単な説明】
【００８１】
【図１】実施例１に係る駐車場及び駐車場システムの斜視図である。
【図２】駐車場システムの駐車場制御ユニットと物品払出し機の斜視図である。
【図３】駐車場システムの制御系のブロック図である。
【図４】物品の斜視図である。
【図５】物品の物品本体の収納箱の斜視図である。
【図６】駐車場制御ユニットが実行するフローチャートである。
【図７】駐車場制御ユニットが実行するフローチャートである。
【図８】物品払出し機が実行するフローチャートである。
【図９】駐車場制御ユニットのディスプレイに表示される画面である。
【図１０】駐車場制御ユニットのディスプレイに表示される画面である。
【図１１】実施例２に係る駐車場制御ユニットが実行するフローチャートである。
【図１２】実施例３に係る駐車場及び駐車場システムの平面図である。
【符号の説明】
【００８２】
Ｃ  自動車
１，１Ａ  駐車場
５，５Ａ  駐車場システム
６  ロック板
７  ロック板駆動装置
８  駐車検出センサ
１０  駐車場制御ユニット
１１ａ  ロック板制御部
１１ｃ  物品払出し制御部
１９  ポイントカード装置
２２  ポイントカード
３０  物品払出し機
３３  物品選択スイッチ
４０  物品
４０ａ  物品本体
４０ｂ  収納箱
４０ｄ  広告表示部
【図１】
2006048495.tif 000003
【図２】
2006048495.tif 000004
【図３】
2006048495.tif 000005
【図４】
2006048495.tif 000006
【図５】
2006048495.tif 000007
【図６】
2006048495.tif 000008
【図７】
2006048495.tif 000009
【図８】
2006048495.tif 000010
【図９】
2006048495.tif 000011
【図１０】
2006048495.tif 000012
【図１１】
2006048495.tif 000013
【図１２】
2006048495.tif 000014